【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
角度付き歯科インプラントであって、
最大外側径および主中心軸を有する略円筒形本体であって、少なくとも約９００ＭＰａの最大抗張力を有する冷間加工した高強度の商用純チタンから形成され、近位部分、および前記角度付き歯科インプラントを患者の骨内に固定するための、反対側にある遠位部分を有する、略円筒形本体と、
内部ボアであって、前記略円筒形本体内に形成され、それにより、前記略円筒形本体の外側面の少なくとも一部分と前記内部ボアの内側面の少なくとも一部分とによって画定される、円周方向延在壁部を形成し、前記内部ボアが、前記略円筒形本体の前記主中心軸に対して約７°から約３１°の間の角度を成すボア中心軸を有し、前記ボア中心軸の相対角度のため、前記円周方向延在壁部の少なくとも第１の部分が、前記第１の部分の円周を巡って変化する厚さを有し、前記円周方向延在壁部の、前記第１の部分のところの前記厚さが、前記略円筒形本体の第１の側に隣接する最薄部分から、前記略円筒形本体の第２の反対側に隣接する最厚部分まで変化し、前記内部ボアが、アバットメントを着脱自在に保持するように構成されたねじを、前記角度付き歯科インプラントと係合して受領するための、ねじ切り部分を有する、内部ボアと、
前記アバットメントと非回転式に係合するように構成された非回転特徴物と、
を備え、
前記略円筒形本体の前記最大外側径と、前記第１の部分のところの、前記略円筒形本体の前記第１の側に隣接する、前記円周方向延在壁部の前記最薄部分との比が、約１６から約８０の間である、
角度付き歯科インプラント。
【請求項２】
前記円周方向延在壁部の前記第１の部分が、前記内部ボアの近位端に隣接している、または、前記内部ボアの遠位端に隣接している、請求項１に記載の角度付き歯科インプラント。
【請求項３】
前記比が約２０から約８０の間である、または、前記比が約３０から約８０の間である、または、前記比が約３０から約５０の間である、請求項１に記載の角度付き歯科インプラント。
【請求項４】
前記最大外側径が約３ミリメートルである、または、前記最大外側径が約３．２５ミリメートルである、または、前記最大外側径が約３．５ミリメートルである、または、前記最大外側径が約４ミリメートルである、または、前記最大外側径が約４．２５ミリメートルである、請求項１に記載の角度付き歯科インプラント。
【請求項５】
前記第１の部分のところの、前記略円筒形本体の前記第１の側に隣接する、前記円周方向延在壁部の前記最薄部分が約０．０４ミリメートル、約０．１０ミリメートル、約０．１５ミリメートル、約０．２ミリメートル、約０．２５ミリメートル、約０．３ミリメートル、約０．３５ミリメートル、または、約０．４ミリメートルである、請求項１に記載の角度付き歯科インプラント。
【請求項６】
前記角度付き歯科インプラントが、インターナルコネクション歯科インプラントであり、前記非回転特徴物が、前記内部ボア内に形成されたソケットを含む、請求項１に記載の角度付き歯科インプラント。
【請求項７】
前記角度付き歯科インプラントが、エクスターナルコネクション歯科インプラントであり、前記非回転特徴物が、前記略円筒形本体の前記近位部分から延在するボスを含む、請求項１に記載の角度付き歯科インプラント。
【請求項８】
前記非回転特徴物が、前記アバットメントと係合する前に、前記角度付き歯科インプラントを前記患者の前記骨内に設置するために、工具によって係合されるように構成される、請求項１に記載の角度付き歯科インプラント。
【請求項９】
前記非回転特徴物が６面６角形ソケット、または、１２面星形ソケットである、請求項８に記載の角度付き歯科インプラント。
【請求項１０】
前記高強度の商用純チタンがグレードＩＶチタンである、請求項１に記載の角度付き歯科インプラント。
【請求項１１】
前記略円筒形本体の前記近位部分の外部表面が、マイクロねじ山を含み、前記略円筒形本体の前記反対側にある遠位部分の外部表面が、主ねじ山を含み、前記マイクロねじ山が、前記円周方向延在壁部の、前記最薄部分を有する前記第１の部分を巡って位置し、前記マイクロねじ山が、前記主ねじ山に比べて小さな山−谷距離および大きなねじ山谷径を有する、請求項１に記載の角度付き歯科インプラント。
【請求項１２】
角度付きザイゴマ歯科インプラントであって、
最大外側径および主中心軸を有する略円筒形本体であって、少なくとも約９００ＭＰａの最大抗張力を有する冷間加工した高強度の商用純チタンから形成され、近位部分、中間部分、および前記角度付きザイゴマ歯科インプラントを患者の骨内に固定するためのねじ切り遠位部分を有し、約２５ミリメートルから約６０ミリメートルの間の長さを有する、略円筒形本体と、
内部ボアであって、前記略円筒形本体内に形成され、それにより、前記略円筒形本体の外側面の少なくとも一部分と前記内部ボアの内側面の少なくとも一部分とによって画定される、円周方向延在壁部を形成し、前記内部ボアが、前記略円筒形本体の前記主中心軸に対して約４０°から約６５°の間の角度を成すボア中心軸を有し、前記ボア中心軸の相対角度のため、前記円周方向延在壁部が最薄部分を有し、前記内部ボアが、アバットメントを着脱自在に保持するように構成されたねじを、前記角度付きザイゴマ歯科インプラントと係合して受領するための、ねじ切り部分を有する、内部ボアと、
前記アバットメントと非回転式に係合するように構成された非回転特徴物と、
を備え、
前記略円筒形本体の前記最大外側径と、前記円周方向延在壁部の前記最薄部分との比が、約５０から約７５の間である、
角度付きザイゴマ歯科インプラント。
【請求項１３】
前記円周方向延在壁部の前記最薄部分が、約０．０４ミリメートルから約０．２ミリメートルの間、または、約０．０６ミリメートルから約０．０８ミリメートルの間の厚さを有する、請求項１２に記載の角度付きザイゴマ歯科インプラント。
【請求項１４】
前記円周方向延在壁部の前記最薄部分が、前記内部ボアの遠位端に隣接している、請求項１２に記載の角度付きザイゴマ歯科インプラント。
【請求項１５】
前記角度が約５５度である、請求項１２に記載の角度付きザイゴマ歯科インプラント。
【請求項１６】
前記略円筒形本体の前記最大外側径が、約３．５ミリメートルから約４．５ミリメートルの間である、請求項１２に記載の角度付きザイゴマ歯科インプラント。
【請求項１７】
（ｉ）前記略円筒形本体の前記近位部分がねじ切りされており、（ｉｉ）前記略円筒形本体の前記中間部分がねじ切りされておらず、（ｉｉｉ）前記略円筒形本体の前記遠位部分がねじ切りされている、請求項１２に記載の角度付きザイゴマ歯科インプラント。
【請求項１８】
（ｉ）前記略円筒形本体の前記近位部分がねじ切りされておらず、（ｉｉ）前記略円筒形本体の前記中間部分がねじ切りされておらず、（ｉｉｉ）前記略円筒形本体の前記遠位部分がねじ切りされている、請求項１２に記載の角度付きザイゴマ歯科インプラント。
【請求項１９】
（ｉ）前記略円筒形本体の前記近位部分がねじ切りされており、（ｉｉ）前記略円筒形本体の前記中間部分がねじ切りされており、（ｉｉｉ）前記略円筒形本体の前記遠位部分がねじ切りされている、請求項１２に記載の角度付きザイゴマ歯科インプラント。
【請求項２０】
前記比が約５５から約６５の間である、請求項１２に記載の角度付きザイゴマ歯科インプラント。
【請求項２１】
前記長さが約４０ミリメートルから約５５ミリメートルの間である、請求項１２に記載の角度付きザイゴマ歯科インプラント。
【請求項２２】
角度付きザイゴマ歯科インプラントであって、
最大外側径および主中心軸を有する略円筒形本体であって、少なくとも約９００ＭＰａの最大抗張力を有するチタン合金から形成され、近位部分、中間部分、および前記角度付きザイゴマ歯科インプラントを患者の骨内に固定するための遠位部分を有しする、略円筒形本体と、
内部ボアであって、前記略円筒形本体内に形成され、それにより、円周方向延在壁部を形成し、前記内部ボアが、前記略円筒形本体の前記主中心軸に対して約４０°から約６５°の間の角度を成すボア中心軸を有し、前記ボア中心軸の相対角度のため、前記円周方向延在壁部が最薄部分を有し、前記内部ボアが、アバットメントを着脱自在に保持するように構成されたねじを、前記角度付きザイゴマ歯科インプラントと係合して受領するための、ねじ切り部分を有する、内部ボアと、
前記アバットメントと非回転式に係合するように構成された非回転特徴物と、
を備え、
前記略円筒形本体の前記最大外側径と、前記円周方向延在壁部の前記最薄部分との比が、約５０から約７５の間である、
角度付きザイゴマ歯科インプラント。
【請求項２３】
前記角度付きザイゴマ歯科インプラントが、約２０ミリメートルから約７０ミリメートルの間の長さを有し、前記角度付きザイゴマ歯科インプラントの最大外径が、４．５ミリメートルより小さい、請求項２２に記載の角度付きザイゴマ歯科インプラント。
【請求項２４】
前記略円筒形本体が、冷間加工した高強度の商用純チタン合金から形成される、請求項２２に記載の角度付きザイゴマ歯科インプラント。
【請求項２５】
前記角度付きザイゴマ歯科インプラントの前記近位部分の外部表面が、ねじ山を含む、請求項２２に記載の角度付きザイゴマ歯科インプラント。
【請求項２６】
前記ねじ山の少なくとも一部が、前記内部ボアに隣接する、請求項２５に記載の角度付きザイゴマ歯科インプラント。
【請求項２７】
前記内部ボアが、前記非回転特徴物によって画定される近位端と、対向する遠位端と、を有し、前記ねじ山の少なくとも一部が、前記内部ボアの前記対向する遠位端に隣接する、請求項２５に記載の角度付きザイゴマ歯科インプラント。
【請求項２８】
前記角度付きザイゴマ歯科インプラントが、エクスターナルコネクション歯科インプラントであり、前記非回転特徴物が、前記略円筒形本体の前記近位部分から延在するボスを含む、請求項２７に記載の角度付きザイゴマ歯科インプラント。
【請求項２９】
前記円周方向延在壁部が、前記略円筒形本体の前記外部表面の少なくとも一部分と前記内部ボアの内部表面の少なくとも一部分とによって画定される、請求項２５に記載の角度付きザイゴマ歯科インプラント。
【請求項３０】
（ｉ）前記略円筒形本体の前記近位部分が少なくとも部分的にねじ切りされており、（ｉｉ）前記略円筒形本体の前記中間部分がねじ切りされておらず、かつ、（ｉｉｉ）前記略円筒形本体の前記遠位部分が少なくとも部分的にねじ切りされている、請求項２２に記載の角度付きザイゴマ歯科インプラント。